(57)【要約】【課題】立体的なスクリーン部に表示される画像の視認性を向上させる。【解決手段】表示装置１００であって、制御部１１は、立体的に形成されたスクリーン部２に当該スクリーン部の立体的形状に応じた第１画像を表示させる。また、制御部１１は、スクリーン部の立体的形状に基づいて、当該スクリーン部に表示される第１画像と異なる第２画像の表示位置を決定する。【選択図】図１
2016085270.tif 000002
【特許請求の範囲】
【請求項１】
立体的に形成されたスクリーン部と、
前記スクリーン部に当該スクリーン部の立体的形状に応じた第１画像を表示させる表示制御手段と、
前記スクリーン部の立体的形状に基づいて、当該スクリーン部に表示される前記第１画像と異なる第２画像の表示位置を決定する決定手段と、
を備えたことを特徴とする表示装置。
【請求項２】
前記スクリーン部は、少なくとも一部分が画像の閲覧者側に突出するように立体的に形成され、
前記決定手段は、前記スクリーン部における前記閲覧者側へ最も突出した部分を前記第２画像の表示位置として決定することを特徴とする請求項１に記載の表示装置。
【請求項３】
前記表示制御手段は、更に、前記スクリーン部における前記閲覧者側へ最も突出した部分にて前記第２画像を所定方向に変位させるように表示させることを特徴とする請求項２に記載の表示装置。
【請求項４】
前記表示制御手段は、更に、前記スクリーン部に前記第２画像を前記第１画像に重畳させるように表示させることを特徴とする請求項１〜３の何れか一項に記載の表示装置。
【請求項５】
前記第１画像は、ヒトを模した画像を含み、
前記第２画像は、ヒト以外の物体を模した画像を含むことを特徴とする請求項１〜４の何れか一項に記載の表示装置。
【請求項６】
立体的に形成されたスクリーン部に当該スクリーン部の立体的形状に応じた第１画像を表示させる工程と、
前記スクリーン部の立体的形状に基づいて、当該スクリーン部に表示される前記第１画像と異なる第２画像の表示位置を決定する工程と、
を含むことを特徴とする表示方法。
【請求項７】
コンピュータを、
立体的に形成されたスクリーン部に当該スクリーン部の立体的形状に応じた第１画像を表示させる表示制御手段、
前記スクリーン部の立体的形状に基づいて、当該スクリーン部に表示される前記第１画像と異なる第２画像の表示位置を決定する決定手段、
として機能させることを特徴とするプログラム。
【発明の詳細な説明】
【技術分野】
【０００１】
本発明は、表示装置、表示方法及びプログラムに関する。
【背景技術】
【０００２】
従来、映像供給装置に接続される映像出力装置と、反射部材と、スクリーンとを有し、映像出力装置からコンテンツを投影する出力光を反射部材によって反射し、この反射部材によって反射された出力光を当該コンテンツの輪郭の形状に形成されたスクリーンに投影することにより、閲覧者に対して印象を高めることができる映像出力装置搭載機器が知られている（例えば、特許文献１参照）。
【先行技術文献】
【特許文献】
【０００３】
【特許文献１】特開２０１１−１５０２２１号公報
【発明の概要】
【発明が解決しようとする課題】
【０００４】
ところで、立体的に形成されたスクリーンに画像を投影することで、より現実味のある印象を閲覧者に与えることができると考えられるが、スクリーンの立体的形状により視認性が低下してしまう虞もあり、結果として、商品説明等での広告効果が低下してしまうといった問題がある。
【０００５】
本発明の課題は、立体的なスクリーン部に表示される画像の視認性を向上させることである。
【課題を解決するための手段】
【０００６】
上記課題を解決するため、本発明に係る表示装置は、
立体的に形成されたスクリーン部と、
前記スクリーン部に当該スクリーン部の立体的形状に応じた第１画像を表示させる表示制御手段と、
前記スクリーン部の立体的形状に基づいて、当該スクリーン部に表示される前記第１画像と異なる第２画像の表示位置を決定する決定手段と、
を備える。
【発明の効果】
【０００７】
本発明によれば、立体的なスクリーン部に表示される画像の視認性を向上させることができる。
【図面の簡単な説明】
【０００８】
【図１】本発明を適用した一実施形態の表示装置の機能的構成を示すブロック図である。
【図２】図１の表示装置を斜め上方から視て示した斜視図である。
【図３】図１の表示装置のスクリーン部の側面図である。
【図４】図１の表示装置による表示処理に係る動作の一例を示すフローチャートである。
【図５】図４の表示処理における表示態様の一例を模式的に示す図である。
【発明を実施するための形態】
【０００９】
以下に、本発明について、図面を用いて具体的な態様を説明する。ただし、発明の範囲は、図示例に限定されない。
図１は、本発明を適用した一実施形態の表示装置１００の機能的構成を示すブロック図である。また、図２は、表示装置１００を斜め上方から視て示した斜視図である。
【００１０】
＜表示装置の構成＞
本実施形態の表示装置１００は、例えば、店舗で取り扱っている商品に係るコンテンツを出力する装置であり、図１及び図２に示すように、コンテンツの映像光を照射する投影部１と、投影部１から照射された映像光を背面で受けて前面に投影するスクリーン部２と、これら投影部１及びスクリーン部２が搭載された台座３とを備えている。
なお、本実施形態では、スクリーン部２に映し出される画像により何等かの説明や案内を行うコンテンツを再生するのに適したものとして、スクリーン部２の立体部２１２の形状をヒト型とした場合（図２参照）を例示して説明する。
【００１１】
まず、投影部１について説明する。
投影部１は、制御部１１と、プロジェクタ１２と、記憶部１３と、通信部１４とを備えている。プロジェクタ１２、記憶部１３、通信部１４は、図１に示すように制御部１１に接続されている。
【００１２】
制御部１１は、記憶部１３のプログラム記憶部１３１に記憶されている各種のプログラムを実行して所定の演算や各部の制御を行うＣＰＵとプログラム実行時の作業領域となるメモリとを備えている（いずれも図示略）。制御部１１は、プログラムとの協働により、後述する表示処理を始めとする各種処理を実行し、表示制御手段、決定手段として機能する。
【００１３】
プロジェクタ１２は、制御部１１から出力された画像データを映像光に変換してスクリーン部２に向けて照射する投影装置である。プロジェクタ１２としては、例えば、アレイ状に配列された複数個（例えば、ＸＧＡの場合、横１０２４画素×縦７６８画素）の微小ミラーの各傾斜角度を個々に高速でオン／オフ動作して表示動作することでその反射光により光像を形成する表示素子であるＤＭＤ（デジタルマイクロミラーデバイス）を利用したＤＬＰ（Digital Light Processing）(登録商標)プロジェクタが適用可能である。
【００１４】
記憶部１３は、ＨＤＤ（Hard Disk Drive）や不揮発性の半導体メモリ等により構成される。記憶部１３には、図１に示すように、プログラム記憶部１３１と、コンテンツ記憶部１３２と、スクリーン情報記憶部１３３とが設けられている。
【００１５】
プログラム記憶部１３１には、制御部１１で実行されるシステムプログラムや、表示処理を始めとする各種処理を実行するための処理プログラム、これらのプログラムの実行に必要なデータ等が記憶されている。
【００１６】
コンテンツ記憶部１３２には、コンテンツの識別情報に対応付けて、表示装置１００で再生されるコンテンツのデータが記憶されている。コンテンツデータは、例えば、複数のフレーム画像により構成される動画データ及び各フレーム画像に対応する音声データにより構成されている。
【００１７】
動画データは、スクリーン部２の立体部２１２の立体的形状に応じて表示される第１画像Ｐ１の画像データと、第１画像Ｐ１に重畳して表示される第２画像Ｐ２（図５参照）の画像データとを含んでいる。
第１画像Ｐ１は、例えば、スクリーン部２と対応付けられ、当該スクリーン部２の立体部２１２の立体的形状に対応させた画像である。具体的には、第１画像Ｐ１は、ヒトを模した画像を含んでいる。また、第１画像Ｐ１は、複数のフレーム画像から構成され、複数のフレーム画像が所定の再生フレームレートで再生されることによって、ヒトの顔の動き（例えば、リップシンク等）が表現される。
なお、動画データは、ヒトの顔の動きを表現するための動き情報を含んでいても良い。動き情報は、例えば、目、眉、口等の各顔構成部に対応付けられた所定空間内における複数の制御点の動きを示す情報であり、複数の制御点の所定空間での位置座標（x, y）を示す情報や変形ベクトル等が時間軸に沿って並べられている。この場合、動き情報に基づいて、例えば、目、眉、口等の各顔構成部を所定の画像変形処理により変形させることで、ヒトの顔の動きが表現される。
第２画像Ｐ２は、第１画像Ｐ１と異なる画像、すなわち、ヒト以外の物体を模した画像を含んでいる。例えば、表示装置１００を店舗で取り扱っている商品の説明や案内に利用する場合、第２画像Ｐ２は、商品であるデジタルカメラ等を表す画像である。
なお、本実施形態では、デジタルカメラを手で把持した状態を表す画像を第２画像Ｐ２としており、後述する表示処理では、デジタルカメラと手が一体となって変位する（図５参照）。
【００１８】
スクリーン情報記憶部１３３には、スクリーン部２を識別するための識別データと、スクリーン部２の立体部２１２の閲覧者側へ最も突出した部分の位置座標（x, y）を示す立体部データとが対応付けて記憶されている。
【００１９】
通信部１４は、例えば、モデム、ルータ、ネットワークカード等（いずれも図示略）により構成され、通信ネットワークに接続された外部機器（図示略）との通信を行う。
【００２０】
次に、スクリーン部２について説明する。
図３は、表示装置１００のスクリーン部２の側面図である。
図３に示すように、スクリーン部２は、例えばアクリル板などから形成された拡散透過部２１と、拡散透過部２１の背面側に配置されたフレネルレンズ２２とを備えている。
【００２１】
拡散透過部２１は、平板状に形成された平板部２１１と、閲覧者の方に向けて凸となるように立体的に形成された立体部２１２とを備えている。
【００２２】
平板部２１１は、各種情報が表示される掲示部であるため、視認性を確保すべく平板状に形成されている。
立体部２１２は、ヒトの外見をなす投影光が投影される部分である。すなわち、立体部２１２は、例えば、女性の上半身を模したヒト型に形成され、具体的には、側面視にて顔に対応する部分や胸に対応する部分２１２ａ（一部分）が閲覧者側に突出するような立体的形状をなしている。本実施形態では、立体部２１２の胸に対応する部分２１２ａが閲覧者側へ最も突出するように形成されている。また、立体部２１２は、背面側（フレネルレンズ２２側）が開放された中空形状をなしている。
なお、図２にあっては、立体部２１２に、投影部１から投影されたヒト（例えば、女性）を模した第１画像Ｐ１が表示された状態を表し、後述する図５にあっては、立体部２１２に、投影部１から投影された第１画像Ｐ１及び商品（例えば、デジタルカメラ等）を模した第２画像Ｐ２が表示された状態を表している。
【００２３】
フレネルレンズ２２は、板状に形成されていて、拡散透過部２１の背面側全体を覆うようになっている。具体的には、光出射側であるフレネルレンズ２２の拡散透過部２１側は、鋸歯状の断面形状となっており、一方、フレネルレンズ２２の投影部１側は平面状になっている（図示略）。そして、フレネルレンズ２２は、投影部１から投影された投影光を所定の角度で屈折させるとともに、全体として平行光に変換する。
ここで、閲覧者は、スクリーン部２に正対して当該スクリーン部２上の映像を閲覧するために、その正対位置から正確に映像が視認できるようにすることが望まれる。このため、フレネルレンズ２２は、閲覧者の正対位置に対して略直交する平行光になるように投影光を変換する構成に形成されている。
【００２４】
なお、フレネルレンズ２２の形状はこの構造に限られず、例えば、上記の構造とは反対に、フレネルレンズ２２の拡散透過部２１側が平面状に、且つ、フレネルレンズ２２の投影部１側が鋸歯状の断面形状となっていても良い。或いは、フレネルレンズ２２の両面側が、ともに鋸歯状の断面形状となっていても良い。
また、閲覧者は、一般的にスクリーン部２より高い視点からスクリーン部２を見る場合が多いことから、このときの閲覧者の視線の方向（例えば、スクリーン部２と略直交する方向に対して上向きに１０°）と平行になるように投影光をフレネルレンズ２２により変換する構成としても良い。
【００２５】
次に、台座３について説明する。
台座３は、その上方にスクリーン部２が着脱自在に搭載されている。また、台座３には、操作部３１と、音声出力部３２と、撮像部３３とが設けられている。
【００２６】
操作部３１は、複数の操作ボタンを備え、操作ボタンの押下信号を検出して制御部１１に出力する。各操作ボタンには、その操作ボタンを押下することにより実行される処理やその操作ボタンを押下することによるコンテンツの切り替え先等を案内する案内部３１ａ（図２参照）がそれぞれ対応付けられている。
【００２７】
音声出力部３２は、音声を出力するスピーカなどを備えて構成されている。
【００２８】
撮像部３３は、スクリーン部２に対向する空間の画像を撮影して撮影画像を生成する。撮像部３３は、図示は省略するが、光学系及び撮像素子を備えるカメラと、カメラを制御する撮像制御部とを備えている。
カメラの光学系は、スクリーン部２の前にいるヒトを撮影可能な方向に向けられている。また、その撮像素子は、例えば、ＣＣＤ（Charge Coupled Device）やＣＭＯＳ（Complementary Metal-oxide Semiconductor）等のイメージセンサである。そして、撮像素子は、光学系を通過した光学像を２次元の画像信号に変換する。
【００２９】
操作部３１、音声出力部３２、撮像部３３は、図１に示すように制御部１１に接続されている。
【００３０】
＜表示装置の動作＞
次に、本実施形態の表示装置１００の動作について説明する。
【００３１】
表示装置１００の制御部１１は、コンテンツ記憶部１３２からコンテンツのコンテンツデータを読み出し、そのコンテンツデータに含まれる動画データを構成する複数のフレーム画像を順次プロジェクタ１２に出力してプロジェクタ１２によりスクリーン部２に投影させる。具体的には、制御部１１は、表示制御手段として、スクリーン部２に当該スクリーン部２の立体的形状に応じた第１画像Ｐ１を表示させる。例えば、制御部１１は、スクリーン情報記憶部１３３から装着されているスクリーン部２に対応する識別データを読み出し、当該識別データにより識別されるスクリーン部２の立体部３２３に対応する第１画像Ｐ１の画像データをプロジェクタ１２に出力して、プロジェクタ１２によりスクリーン部２に投影させる。
なお、例えば、コンテンツ記憶部１３２に基準となる第１画像Ｐ１の画像データを記憶しておき、制御部１１が、スクリーン部２の立体的形状に対応させるように第１画像Ｐ１を変形させる処理等の画像処理を行うことで、スクリーン部２の立体的形状に応じた第１画像Ｐ１を表示させるようにしても良い。
【００３２】
また、制御部１１は、コンテンツデータの動画データを構成する複数のフレーム画像をスクリーン部２に投影させる際に、読み出したコンテンツデータの音声データを音声出力部３２に出力し、コンテンツの音声を出力させる。すなわち、制御部１１は、例えば、第１画像Ｐ１のヒトの口の動きを表現する際に、音声出力部３２から所定の音声を出力してリップシンクさせる。
【００３３】
また、制御部１１は、決定手段として、スクリーン部２の立体的形状に基づいて、当該スクリーン部２に表示される第２画像Ｐ２の表示位置を決定する。具体的には、制御部１１は、スクリーン部２における画像の閲覧者側へ最も突出した部分（例えば、胸に対応する部分２１２ａ等）を第２画像Ｐ２の表示位置として決定する。例えば、制御部１１は、スクリーン情報記憶部１３３からスクリーン部２に対応する立体部データを読み出し、スクリーン部２の立体部２１２における画像の閲覧者側へ最も突出した部分の位置座標（x, y）を特定する。そして、制御部１１は、特定された位置座標に第２画像Ｐ２の所定位置（例えば、中心位置等）の座標が重なるように、当該第２画像Ｐ２の表示位置の座標を決定する。ここで、制御部１１は、第２画像Ｐ２の表示位置の座標として、単一の座標を決定しても良いし、一方の軸（例えば、ｙ軸）については固定された座標とし、他方の軸（例えば、ｘ軸）については所定の範囲を示す座標を決定しても良い。
【００３４】
また、制御部１１は、スクリーン部２に第２画像Ｐ２を第１画像Ｐ１に重畳させるように表示させる。具体的には、制御部１１は、決定された第２画像Ｐ２の表示位置の座標に当該第２画像Ｐ２が重畳されるように所定の合成処理（例えば、加算平均処理等）により第１画像Ｐ１の各フレーム画像に合成する。そして、制御部１１は、合成後の各フレーム画像の画像データをプロジェクタ１２に出力して、プロジェクタ１２によりスクリーン部２に投影させる。
ここで、制御部１１は、スクリーン部２における画像の閲覧者側へ最も突出した部分にて第２画像Ｐ２を所定方向（例えば、左右方向等）に変位させるように表示させても良い。例えば、制御部１１は、決定された第２画像Ｐ２の表示位置の座標に基づいて、第２画像Ｐ２が重畳される位置を第１画像Ｐ１の隣合うフレーム画像で異ならせることで、第２画像Ｐ２を所定方向（例えば、左右方向等）に変位させた画像データを生成する。第２画像Ｐ２を変位させる場合、制御部１１は、第２画像Ｐ２の表示位置の座標として、予め所定の範囲を示す座標を決定しておいても良いし、単一の座標を決定した後、当該単一の座標を基準とする所定範囲内を第２画像Ｐ２の表示位置として算出しても良い。
なお、合成処理は、公知の技術であるので、ここでは詳細な説明を省略する。また、図５では、第２画像Ｐ２の表示位置を実線で表し、第２画像Ｐ２の変位を二点鎖線で模式的に表している。
【００３５】
＜表示処理＞
次に、表示装置１００による表示処理について、図４及び図５を参照して説明する。
図４は、表示処理に係る動作の一例を示すフローチャートである。また、図５は、表示処理における表示態様の一例を模式的に示す図である。
【００３６】
図４に示すように、まず、表示装置１００の制御部１１は、コンテンツ再生の開始指示が入力されたか否かを判定する（ステップＳ１）。具体的には、例えば、撮像部３３により撮像された画像から閲覧者が検出されて、その検出信号が制御部１１に入力されたり、閲覧者により操作部３１が操作されて、コンテンツ再生を開始させる操作信号が制御部１１に入力されると、制御部１１は、コンテンツ再生の開始指示が入力されたと判定する。
【００３７】
ステップＳ１にて、コンテンツ再生の開始指示が入力されていないと判定されると（ステップＳ１；ＮＯ）、制御部１１は、所定の時間間隔で当該判定処理を繰り返し実行する。
一方、ステップＳ１にて、コンテンツ再生の開始指示が入力されたと判定されると（ステップＳ１；ＹＥＳ）、制御部１１は、当該表示装置１００に装着されているスクリーン部２にて画像の閲覧者側へ最も突出した部分を特定する（ステップＳ２）。具体的には、制御部１１は、スクリーン情報記憶部１３３からスクリーン部２に対応する立体部データを読み出し、立体部２１２における画像の閲覧者側へ最も突出した部分（例えば、胸に対応する部分２１２ａ等）の位置座標（x, y）を特定する。
そして、制御部１１は、特定された位置座標に第２画像Ｐ２の所定位置の座標が重なるように、当該第２画像Ｐ２の表示位置の座標を決定する（ステップＳ３）。ここで、第２画像Ｐ２を所定方向（例えば、左右方向等）に変位させるように表示する場合、制御部１１は、第２画像Ｐ２の表示位置の座標として、ｙ軸については固定された座標とし、ｘ軸については所定の範囲を示す座標を決定する。
【００３８】
その後、制御部１１は、決定された第２画像Ｐ２の表示位置の座標に当該第２画像Ｐ２が重畳されるように第１画像Ｐ１の各フレーム画像に合成する（ステップＳ４）。具体的には、制御部１１は、コンテンツ記憶部１３２から所定のコンテンツのコンテンツデータを読み出し、スクリーン情報記憶部１３３から読み出された識別データにより識別されるスクリーン部２の立体部３２３に対応する第１画像Ｐ１の画像データを取得する。そして、制御部１１は、決定された第２画像Ｐ２の表示位置の座標に基づいて、所定の合成処理（例えば、加算平均処理等）により第２画像Ｐ２を第１画像Ｐ１の各フレーム画像に合成する。
続けて、制御部１１は、合成後の各フレーム画像の画像データをプロジェクタ１２に出力して、プロジェクタ１２によりスクリーン部２に投影させる（ステップＳ５）。これにより、スクリーン部２の立体部２１２に表示される第１画像Ｐ１に重畳させて、当該立体部２１２における画像の閲覧者側へ最も突出した部分に第２画像Ｐ２が表示される。なお、スクリーン部２の平板部２１１に、第２画像Ｐ２に対応する画像や当該第２画像Ｐ２に対応する商品の説明や案内等を併せて表示しても良い（図５参照）。
【００３９】
その後、制御部１１は、コンテンツ再生の終了指示が入力されたか否かを判定する（ステップＳ６）。具体的には、例えば、撮像部３３により撮像された画像から閲覧者が検出されなくなったり、閲覧者により操作部３１が操作されて、コンテンツ再生を終了させる操作信号が制御部１１に入力されると、制御部１１は、コンテンツ再生の終了指示が入力されたと判定する。
【００４０】
ステップＳ６にて、コンテンツ再生の終了指示が入力されていないと判定されると（ステップＳ６；ＮＯ）、制御部１１は、再生されるコンテンツの切り替え指示が入力されたか否かを判定する（ステップＳ７）。
例えば、閲覧者により操作部３１が操作されて、コンテンツを切り替える操作信号が制御部１１に入力されると、制御部１１は、コンテンツの切り替え指示が入力されたと判定する。
【００４１】
ステップＳ７にて、コンテンツの切り替え指示が入力されていないと判定されると（ステップＳ７；ＮＯ）、制御部１１は、処理をステップＳ５に戻し、それ以降の各処理の実行を制御する。
一方、ステップＳ７にて、コンテンツの切り替え指示が入力されたと判定されると（ステップＳ７；ＹＥＳ）、制御部１１は、処理をステップＳ３に戻し、それ以降の各処理の実行を制御する。具体的には、制御部１１は、切り替えられたコンテンツで新たに指定された第２画像Ｐ２の所定位置の座標が、ステップＳ２にて特定された位置座標に重なるように、当該第２画像Ｐ２の表示位置の座標を決定する（ステップＳ３）。そして、制御部１１は、上記と略同様に、決定された第２画像Ｐ２の表示位置の座標に当該第２画像Ｐ２が重畳されるように第１画像Ｐ１の各フレーム画像に合成する（ステップＳ４）。続けて、制御部１１は、合成後の各フレーム画像の画像データをプロジェクタ１２に出力して、プロジェクタ１２によりスクリーン部２に投影させる（ステップＳ５）。
その後、制御部１１は、ステップＳ６にて、コンテンツ再生の終了指示が入力されたか否かを判定する。
【００４２】
ステップＳ６にて、コンテンツ再生の終了指示が入力されたと判定されると（ステップＳ６；ＹＥＳ）、制御部１１は、当該表示処理を終了する。
【００４３】
以上のように、本実施形態の表示装置１００によれば、立体的に形成されたスクリーン部２に当該スクリーン部２の立体的形状に応じた第１画像Ｐ１（例えば、ヒトを模した画像）を表示させ、スクリーン部２の立体的形状に基づいて、当該スクリーン部２に表示される第２画像Ｐ２（例えば、ヒト以外の物体を模した画像）の表示位置を決定するので、スクリーン部２の立体的形状を考慮して視認性のより高い位置に第２画像Ｐ２を表示させることができることとなり、立体的なスクリーン部２に表示される画像の視認性を向上させることができる。特に、例えば、第２画像Ｐ２に対応する物体（商品）の説明や案内を行うコンテンツを表示する場合に、当該第２画像Ｐ２の視認性を向上させることで、広告効果をより向上させることができる。
【００４４】
また、スクリーン部２における閲覧者側へ最も突出した部分を第２画像Ｐ２の表示位置として決定するので、第２画像Ｐ２の視認性を向上させることができるだけでなく、閲覧者の注意を惹き易い位置に第２画像Ｐ２を表示させることができる。
このとき、スクリーン部２における閲覧者側へ最も突出した部分にて第２画像Ｐ２を所定方向に変位させるように表示させることで、当該スクリーン部２に対して正対していない閲覧者に対しても第２画像Ｐ２の視認性を向上させることができる。
【００４５】
また、スクリーン部２に第２画像Ｐ２を第１画像Ｐ１に重畳させるように表示させるので、スクリーン部２において第１画像Ｐ１の表示領域をより広く確保することができるとともに、第２画像Ｐ２の視認性も向上させることができる。さらに、例えば、第１画像Ｐ１がヒトを模した画像であり、第２画像Ｐ２が物体（商品）を模した画像である場合には、第１画像Ｐ１と第２画像Ｐ２とを関連付けて表示することができ、広告効果をより向上させることができる。
【００４６】
なお、本発明は、上記実施形態に限定されることなく、本発明の趣旨を逸脱しない範囲において、種々の改良並びに設計の変更を行っても良い。
例えば、上記実施形態では、第２画像Ｐ２の表示位置をスクリーン部２における閲覧者側へ最も突出した部分としたが、一例であってこれに限られるものではなく、スクリーン部２の立体的形状に基づいて決定される表示位置であれば、例えば、スクリーン部２の平板部２１１など如何なる位置であっても良い。
また、スクリーン部２における閲覧者側へ突出した部分が複数ある場合には、これら複数の突出した部分に第２画像Ｐ２が切り替え表示されるようにしても良い。例えば、スクリーン部２の立体部２１２が帽子を被った女性を模した形状に形成されている場合には、帽子の鍔に対応する部分と胸に対応する部分２１２ａとを第２画像Ｐ２の表示位置とし、交互に切り替えて第２画像Ｐ２を表示するようにしても良い。
【００４７】
さらに、上記実施形態では、スクリーン部２の立体部２１２に第１画像Ｐ１に重畳させて第２画像Ｐ２を表示させるようにしたが、一例であってこれに限られるものではなく、例えば、スクリーン部２の立体部２１２にて第１画像Ｐ１の表示領域と第２画像Ｐ２の表示領域とを分けるようにしても良い。この場合、例えば、スクリーン部２の立体部２１２における閲覧者側へ最も突出した部分を第２画像Ｐ２の表示領域とし、それ以外の領域を第１画像Ｐ１の表示領域とするようにしても良い。
【００４８】
また、上記実施形態では、スクリーン部２として、立体部２１２の形状をヒト型としたものを例示して説明したが、一例であってこれに限られるものではなく、立体的に形成されていればスクリーン部２の形状は適宜任意に変更可能である。
【００４９】
くわえて、上記実施形態にあっては、スクリーン部２に当該スクリーン部２の立体的形状に応じた第１画像Ｐ１を表示させる表示制御手段としての機能及びスクリーン部２の立体的形状に基づいて、当該スクリーン部２に表示される第１画像Ｐ１と異なる第２画像Ｐ２の表示位置を決定する決定手段としての機能を、制御部１１のＣＰＵによって所定のプログラム等が実行されることにより実現される構成としたが、これに限られるものではなく、例えば、所定のロジック回路から構成された表示制御部及び決定部（いずれも図示略）により実現される構成としても良い。
【００５０】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記憶媒体を適用することも可能である。また、プログラムのデータを所定の通信回線を介して提供する媒体としては、キャリアウェーブ（搬送波）も適用される。
【００５１】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
立体的に形成されたスクリーン部と、
前記スクリーン部に当該スクリーン部の立体的形状に応じた第１画像を表示させる表示制御手段と、
前記スクリーン部の立体的形状に基づいて、当該スクリーン部に表示される前記第１画像と異なる第２画像の表示位置を決定する決定手段と、
を備えたことを特徴とする表示装置。
＜請求項２＞
前記スクリーン部は、少なくとも一部分が画像の閲覧者側に突出するように立体的に形成され、
前記決定手段は、前記スクリーン部における前記閲覧者側へ最も突出した部分を前記第２画像の表示位置として決定することを特徴とする請求項１に記載の表示装置。
＜請求項３＞
前記表示制御手段は、更に、前記スクリーン部における前記閲覧者側へ最も突出した部分にて前記第２画像を所定方向に変位させるように表示させることを特徴とする請求項２に記載の表示装置。
＜請求項４＞
前記表示制御手段は、更に、前記スクリーン部に前記第２画像を前記第１画像に重畳させるように表示させることを特徴とする請求項１〜３の何れか一項に記載の表示装置。
＜請求項５＞
前記第１画像は、ヒトを模した画像を含み、
前記第２画像は、ヒト以外の物体を模した画像を含むことを特徴とする請求項１〜４の何れか一項に記載の表示装置。
＜請求項６＞
立体的に形成されたスクリーン部に当該スクリーン部の立体的形状に応じた第１画像を表示させる工程と、
前記スクリーン部の立体的形状に基づいて、当該スクリーン部に表示される前記第１画像と異なる第２画像の表示位置を決定する工程と、
を含むことを特徴とする表示方法。
＜請求項７＞
コンピュータを、
立体的に形成されたスクリーン部に当該スクリーン部の立体的形状に応じた第１画像を表示させる表示制御手段、
前記スクリーン部の立体的形状に基づいて、当該スクリーン部に表示される前記第１画像と異なる第２画像の表示位置を決定する決定手段、
として機能させることを特徴とするプログラム。
【符号の説明】
【００５２】
１００  表示装置
１      投影部
１１    制御部
１２    プロジェクタ
１３    記憶部
２      スクリーン部
２１１  平板部
２１２  立体部
Ｐ１    第１画像
Ｐ２    第２画像
【図１】
2016085270.tif 000003
【図２】
2016085270.tif 000004
【図３】
2016085270.tif 000005
【図４】
2016085270.tif 000006
【図５】
2016085270.tif 000007